(57)【要約】【課題】太陽電池パネルのような大きな被清掃面を、少量の水で、容易に且つ綺麗に、しかも効率良く清掃可能な清掃具を提供する。【解決手段】清掃体１０と、それを操作するための操作部２０を備えた清掃具１であって、清掃体１０は、メラミン樹脂発泡体１１を備え、操作部２０は、操作ロッド２１と、ベース板２２と、操作ロッド２１の先端部にベース板２２を揺動自在に連結する連結部２３とを備え、清掃体１０と操作部２０とにメラミン樹脂発泡体１１をベース板２２に対して着脱自在に付着する面ファスナー２を設けた。【選択図】図１
0003211682.tif 000002
【実用新案登録請求の範囲】
【請求項１】
清掃体と、それを操作するための操作部を備えた清掃具であって、
前記清掃体は、メラミン樹脂発泡体を備え、
前記操作部は、操作ロッドと、ベース板と、前記操作ロッドの先端部に前記ベース板を揺動自在に連結する連結部とを備え、
前記清掃体と前記操作部の少なくとも一方に、前記メラミン樹脂発泡体をベース板に対して着脱自在に付着する付着部材を設けた、
ことを特徴とする清掃具。
【請求項２】
前記付着部材として面ファスナを設け、前記メラミン樹脂発泡体の上面側に、前記面ファスナの第１ファスナを設け、前記ベース板の下面側に、前記面ファスナの第２ファスナを設けた請求項１記載の清掃具。
【請求項３】
前記清掃体が、前記メラミン樹脂発泡体の上面に積層状に設けた発泡プラスチック製の緩衝スポンジを備え、前記緩衝スポンジの上面に第１ファスナを設けた請求項２記載の清掃具。
【請求項４】
前記メラミン樹脂発泡体の下面を区画するように、前記メラミン樹脂発泡体の下面から上面側へ向けて延びる切り込み又は溝部からなる区画部を設けた請求項１〜３のいずれか１項記載の清掃具。
【請求項５】
前記メラミン樹脂発泡体として、圧縮した状態で加熱処理されているものを用いた請求項１〜４のいずれか１項記載の清掃具。
【請求項６】
前記清掃体とベース板の平面寸法が、前記清掃体をベース板に取り付けた状態で、前記清掃体の外周部がベース板から外方へ突出する寸法に設定されている請求項１〜５のいずれか１項記載の清掃具。
【請求項７】
前記清掃体の平面寸法を前記ベース板の平面寸法よりも小型に構成し、複数個の清掃体をベース板に対して着脱自在に取り付け可能となした請求項１〜５のいずれか１項記載の清掃具。
【請求項８】
前記清掃具が太陽電池パネルの表面を清掃するための清掃具である請求項１〜７のいずれか１項記載の清掃具。
【考案の詳細な説明】
【技術分野】
【０００１】
本考案は、拭き掃除に好適に利用可能な清掃具に関する。
【背景技術】
【０００２】
床等の拭き掃除に好適な清掃具として、柄の先端部にベース板を揺動自在に取り付け、該ベース板に面ファスナを介して板状のスポンジを着脱自在に取り付けたモップが広く採用されている（例えば、特許文献１参照。）。
【０００３】
一方、スポンジとして、メラミン樹脂発泡体からなるスポンジが、茶渋等の頑固な付着物の汚れを容易に除去できることから広く普及しており、このメラミン樹脂発泡体を着脱自在に取り付けたハンディータイプの清掃具も提案されている（例えば、特許文献２参照。）。
【先行技術文献】
【特許文献】
【０００４】
【特許文献１】特開２００９−２４７４３８号公報
【特許文献２】登録実用新案第３０９３９９１号公報
【考案の概要】
【考案が解決しようとする課題】
【０００５】
ところで、メラミン樹脂発泡体は、メラミン樹脂自体が硬質であることから、磁器やガラスなどの比較的硬質な食器の洗浄には採用できるが、漆器などの食器には表面が傷づくことから採用できず、また床や家具などの塗装面の清掃に関しても、塗装面を傷つけることから採用できないという問題がある。
【０００６】
このため、特許文献２記載のようなハンディータイプの小型な清掃具では、メラミン樹脂発泡体を用いたものも提案されているが、床などを清掃するためのモップ用のスポンジとしては、通常、ポリウレタン等の軟質な合成樹脂材料を発泡成形したものが採用されており、メラミン樹脂発泡体を採用したものはなかった。
【０００７】
また、特許文献１記載のモップは、一般家庭での使用を前提としており、スポンジが汚れるたびに水で綺麗に洗浄することで、スポンジの汚れが床面などに再付着することを防止できる。しかし、山間部に設置された太陽電池パネルのように、洗浄用の水の持ち運びが重労働となる場所に設置された被清掃物を清掃する場合には、スポンジに付着した汚れが、被清掃物に再付着して綺麗に清掃できないという問題がある。
【０００８】
本考案の目的は、太陽電池パネルのような大きな被清掃面を、少量の水で、容易に且つ綺麗に、しかも効率良く清掃可能な清掃具を提供することである。
【課題を解決するための手段】
【０００９】
本出願人は、山間部に設置された太陽電池パネルの清掃用として好適な清掃具について鋭意検討した結果、太陽電池パネルの表面がガラスで構成されて傷付き難く、しかも多少傷ついた場合でも、発電効率に大きな悪影響を及ぼさないし、窓ガラスのように外観が大幅に低下することもないことに着目するとともに、清掃体としてメラミン樹脂発泡体を用いれば、少量の水でもパネル表面を容易に且つ綺麗に洗浄できることを見出して、本考案を完成するに至った。
【００１０】
本考案は、以下の考案を包含する。
（１）清掃体と、それを操作するための操作部を備えた清掃具であって、前記清掃体は、メラミン樹脂発泡体を備え、前記操作部は、操作ロッドと、ベース板と、前記操作ロッドの先端部に前記ベース板を揺動自在に連結する連結部とを備え、前記清掃体と前記操作部の少なくとも一方に、前記メラミン樹脂発泡体をベース板に対して着脱自在に付着する付着部材を設けた、ことを特徴とする清掃具。
【００１１】
この清掃具を用いて被清掃面を清掃する際には、少量の水を被清掃面に散布したり、メラミン樹脂発泡体に少量の水を含ませたりしてから、操作ロッドを手で保持して、清掃体を被清掃面に載置し、操作ロッドを操作して清掃体を被清掃面に沿って移動させ、メラミン樹脂発泡体で被清掃面を拭き掃除することになる。このように、操作ロッドの先端部にメラミン樹脂発泡体を備えた清掃体を配置させているので、太陽電池パネルのような大きな被清掃面であっても、容易に且つ効率的に清掃することができる。また、メラミン樹脂発泡体に付着した汚れは、メラミン樹脂発泡体の表面だけでなく、メラミン樹脂発泡体の奥部側へ順次移動して、被清掃面に再付着することが防止されるので、少量の水であっても、比較的広い被清掃面を綺麗に清掃することができる。また、メラミン樹脂発泡体の汚れが被清掃面に対して再付着しだしたときには、ベース板から清掃体を取り外して、新しい清掃体を取り付けることで、容易に且つ効率的に被清掃面を清掃できる。また、清掃を繰り返すことで、メラミン樹脂発泡体がすり減った場合も、前記と同様にして、清掃体を交換することができる。汚れが付着した清掃体は、水の入手が容易な場所へ輸送してから、洗浄して再利用することができる。
【００１２】
（２）前記付着部材として面ファスナを設け、前記メラミン樹脂発泡体の上面側に、前記面ファスナの第１ファスナを設け、前記ベース板の下面側に、前記面ファスナの第２ファスナを設けた前記（１）記載の清掃具。付着部材としては、粘着により着脱可能に付着するものなどを設けることもできるが、面ファスナを用いると、水に濡れた場合でも、付着力を十分に確保できるので好ましい。
【００１３】
（３）前記清掃体が、前記メラミン樹脂発泡体の上面に積層状に設けた発泡プラスチック製の緩衝スポンジを備え、前記緩衝スポンジの上面に第１ファスナを設けた前記（２）記載の清掃具。第１ファスナをメラミン樹脂発泡体に対して直接的に接着や溶着などにより、取り付けることも可能であるが、メラミン樹脂発泡体は、欠けたり、裂けたりするなど、比較的損傷し易いので、本発明のように、メラミン樹脂発泡体と第１ファスナ間に緩衝スポンジを介装して、面ファスナの着脱時における、メラミン樹脂発泡体の損傷を防止するように構成することが好ましい。
【００１４】
（４）前記メラミン樹脂発泡体の下面を区画するように、前記メラミン樹脂発泡体の下面から上面側へ向けて延びる切り込み又は溝部からなる区画部を設けた前記（１）〜（３）のいずれかに記載の清掃具。本発明では、メラミン樹脂発泡体による清掃時に、区画部の下端の角部により、汚れをこそぎ落すことが可能となり、清掃体の清掃能力を向上できる。
【００１５】
（５）前記メラミン樹脂発泡体として、圧縮した状態で加熱処理されているものを用いた前記（１）〜（４）のいずれかに記載の清掃具。このように構成したメラミン樹脂発泡体においては、欠けたり、裂けたりするなどの損傷に対する強度を向上でき、メラミン樹脂発泡体の耐久性を向上できる。
【００１６】
（６）前記清掃体とベース板の平面寸法が、前記清掃体をベース板に取り付けた状態で、前記清掃体の外周部がベース板から外方へ突出する寸法に設定されている前記（１）〜（５）のいずれかに記載の清掃具。このように構成することで、硬質なベース板が被清掃面に直接的に接触することによる、被清掃面の損傷を防止できる。
【００１７】
（７）前記清掃体の平面寸法を前記ベース板の平面寸法よりも小型に構成し、複数個の清掃体をベース板に対して着脱自在に取り付け可能となした前記（１）〜（５）のいずれかに記載の清掃具。このように構成することで、キッチンなどで使用される安価に入手可能な小型の清掃体を用いて、清掃具を構成できる。
【００１８】
（８）前記清掃具が太陽電池パネルの表面を清掃するための清掃具である前記（１）〜（７）のいずれかに記載の清掃具。太陽電池パネルの表面は、硬質なガラスなどの透明板で構成されるので、メラミン樹脂発泡体で拭いてもほとんど傷付くことはないし、また万一多少傷ついた場合でも、発電効率が低下したり、外観が低下したりすることも殆どないので好ましい。特に、山間部に設置されている太陽電池パネルの拭き掃除は、水の搬送作業が重労働となるので、本発明のように少量の水で拭き掃除可能な清掃具は好適である。
【考案の効果】
【００１９】
本考案に係る清掃具によれば、太陽電池パネルのような大きな被清掃面であっても、少量の水で、容易に且つ綺麗に、しかも効率良く清掃することができる。
【図面の簡単な説明】
【００２０】
【図１】清掃具の斜視図
【図２】清掃具の要部平面図
【図３】清掃具の要部左側面図
【図４】図２のIV-IV線断面図
【図５】清掃具の要部底面図
【図６】他の構成の清掃体を用いた清掃具の底面図
【図７】他の構成の清掃具を用いた清掃具の底面図
【図８】２つの清掃体を用いた清掃具の底面図
【図９】小型の清掃体を用いた清掃具の底面図
【図１０】同清掃体を６個用いた場合の清掃具の底面図
【図１１】同清掃体を６個用いた他の配設状態を示す清掃具の底面図
【図１２】同清掃体を６個用いた他の配設状態を示す清掃具の底面図
【図１３】同清掃体を６個用いた他の配設状態を示す清掃具の底面図
【図１４】清掃具を用いた太陽電池パネルの清掃方法の説明図
【考案を実施するための形態】
【００２１】
以下、本考案の実施の形態について図面を参照しながら説明する。
【００２２】
図１〜図５に示すように、清掃具１は、清掃体１０と、それを操作するための操作部２０とを備えている。
【００２３】
清掃体１０は、メラミン樹脂発泡体１１と、メラミン樹脂発泡体１１の上面に積層状に設けた発泡プラスチック製の緩衝スポンジ１２と、緩衝スポンジ１２の上面に積層状に設けた、面ファスナ２の第１ファスナ１３とを備えている。
【００２４】
メラミン樹脂発泡体１１と緩衝スポンジ１２と第１ファスナ１３は、平面視において同じ寸法の長方形状に形成されている。清掃体１０の平面寸法は、清掃する被清掃面の大きさなどに応じて任意に設定可能である。太陽電池パネルを清掃する場合には、例えば左右方向の長さが３００ｍｍ〜５００ｍｍ、前後方向の幅が１００ｍｍ〜２００ｍｍのものを採用できる。
【００２５】
清掃体１０は、メラミン樹脂発泡体１１と緩衝スポンジ１２と第１ファスナ１３を積層状に予め所望寸法にカットした後、これらを積層状に接着や溶着により結合することも可能であるが、メラミン樹脂発泡体１１と緩衝スポンジ１２と第１ファスナ１３とを接着や溶着により積層状に一体化してなる長尺な積層体を製作して、これを所望寸法にカットすることで、安価に製作することができる。
【００２６】
メラミン樹脂発泡体１１は、メラミン樹脂に対してホルムアルデヒド及び発泡剤などを添加して得られる混合物を発泡・硬化し、その後、長方形の厚板状に形成したものである。より好ましくは、混合物を発泡・硬化した後、約１／２に圧縮した状態で、約１７０〜２００℃の加熱処理を施し、その後、所望寸法にカットしたものを好適に利用できる。このように圧縮加熱してなるメラミン樹脂発泡体１１は、欠けたり、裂けたりするなどの損傷に対する強度を向上でき、メラミン樹脂発泡体１１の耐久性を向上できるので好ましい。メラミン樹脂発泡体１１の厚さは任意に設定可能であるが、例えば１０ｍｍ〜３０ｍｍのものを好適に採用できる。
【００２７】
緩衝スポンジ１２は、ポリウレタン等の合成樹脂材料を発泡成形して、長方形の薄板状に形成したものである。緩衝スポンジ１２は、接着や溶着によりメラミン樹脂発泡体１１の上面に積層状に固着されている。緩衝スポンジ１２の厚さは、任意に設定可能であるが、例えば３ｍｍ〜１０ｍｍのものを採用できる。メラミン樹脂発泡体１１は、外力により欠けたり裂けたりするなど、比較的損傷し易いので、メラミン樹脂発泡体１１と第１ファスナ１３間に緩衝スポンジ１２を介装することで、面ファスナ２の着脱時における、メラミン樹脂発泡体１１の損傷を防止できる。ただし、面ファスナ２として、第１ファスナ１３と第２ファスナ２４の結合力が比較的弱いものを使用する場合には、第１ファスナ１３をメラミン樹脂発泡体１１に対して、直接的に接着や溶着などにより、取り付けることも可能である。また、メラミン樹脂発泡体１１の損傷を防止し得るものであれば、緩衝スポンジ１２に代えて、合成ゴムなどからなる任意の構成の薄板状の緩衝部材を設けることも可能である。
【００２８】
面ファスナ２は、ループ状に起毛された第１ファスナ１３と、キノコ状やフック状の多数の係止部を有する第２ファスナ２４とを備え、第１ファスナ１３と第２ファスナ２４とを面的に係脱可能となした周知の構成のものである。第１ファスナ１３は、接着や溶着により緩衝スポンジ１２に積層状に固着されている。ただし、面ファスナ２に代えて、ベース板２２の下面に粘着シートを取り付け、緩衝スポンジ１２の上面に合成樹脂フィルムを取り付けるなど、面ファスナ２以外の付着部材により、メラミン樹脂発泡体１１をベース板２２の下面に着脱自在に取り付けることもできる。
【００２９】
操作部２０は、操作ロッド２１と、ベース板２２と、操作ロッド２１の先端部にベース板２２を揺動自在に連結する連結部２３と、ベース板２２の下面側に設けた、面ファスナ２の第２ファスナ２４とを備えている。
【００３０】
操作ロッド２１は、鉄やステンレスやアルミニウム合金などの金属材料や、合成樹脂材料で構成されたパイプ部材からなるロッド部材２５と、ロッド部材２５の基端部に設けたグリップ部２６とを備えている。ただし、ロッド部材２５は、１本のパイプ部材で構成することも可能であるが、連結可能な複数本のパイプ部材で構成したり、伸縮可能に嵌合される複数本のパイプ部材で構成したりすることも可能である。操作ロッド２１の長さは、清掃する対象物などに応じて任意に設定可能であるが、例えば太陽電池パネルを清掃する場合には、１ｍ〜６ｍのものを採用できる。
【００３１】
ベース板２２は、鉄やアルミニウム合金などの金属材料や、合成樹脂材料からなる、略長方形の板状部材で構成されている。ベース板２２の厚さは、任意に設定可能であるが、強度剛性及び清掃具１の操作性を十分に確保でき、しかもベース板２２の自重によりメラミン樹脂発泡体１１を被清掃面に圧接させて十分な清掃性を確保できるように、１ｍｍ以上１０ｍｍ以下のものを採用できる。ベース板２２の平面寸法は、清掃体１０の平面寸法よりもやや小さな寸法に構成され、ベース板２２の下面に清掃体１０を取り付けた状態で、清掃体１０の外周部がベース板２２から外方へ突出するように構成し、ベース板２２が被清掃面に直接的に接触することによる、被清掃面の損傷を防止することが好ましい。
【００３２】
連結部２３について説明すると、ベース板２２の上面の中央部には１対の軸受部材３０が左右に間隔をあけてリベットなどの固定具３５により固定され、軸受部材３０間には連結部材３１が設けられ、操作ロッド２１は、左右１対の軸受部材３０の軸孔３０ａに装着された軸部３１ａを中心に、図２の矢印Ａで示す方向へ回動自在に、軸受部材３０に支持されている。
【００３３】
連結部材３１には、略平板状の連結板部３１ｂが軸部３１ａから半径方向外方側へ突出状に設けられている。操作ロッド２１の先端部にはロッド側部材３２が着脱自在に取り付けられ、ロッド側部材３２には連結板部３１ｂの上下両側へ延びる１対の略平板状のフランジ部３２ａが設けられ、操作ロッド２１は、フランジ部３２ａと連結板部３１ｂとを貫通して設けた軸部材３３を中心に、図２の矢印Ｂで示す方向へ回動自在に、連結部材３１に支持されている。
【００３４】
ロッド側部材３２を操作ロッド２１に着脱自在に取り付けるため、操作ロッド２１の先端部内には弾力性を有する略Ｕ字状の係止部材３４が設けられ、係止部材３４の両端部には上下両側へ突出する係止部３４ａが設けられ、ロッド部材２５とロッド側部材３２には係止部３４ａが挿通する上下１対の係止孔２５ａ、３２ｂがそれぞれ形成され、ロッド側部材３２は、係止孔２５ａ、３２ｂにわたって係止部３４ａが装着されることで、操作ロッド２１に脱落不能に固定され、上下の係止部３４ａを指で押し操作して、ロッド側部材３２の係止孔３２ｂよりも内側へ係止部３４ａを移動させた状態で、操作ロッド２１から抜き取ることができるように構成されている。
【００３５】
ただし、連結部２３としては、操作ロッド２１の先端部にベース板２２を揺動自在に連結可能なものであれば、上述した以外の周知の構成のものを採用できる。
【００３６】
この清掃具１は、メラミン樹脂よりも硬質な素材からなる被清掃面を清掃するのに好適に利用でき、例えば太陽電池パネルの表面や、戸建住宅などに設置されるカーポートの屋根や、建物の窓ガラスなどの清掃用として好適に利用できる。特に、太陽電池パネルの表面は、硬質なガラスなどの透明板で構成されるので、メラミン樹脂発泡体１１で拭いてもほとんど傷付くことはないし、また万一多少傷ついた場合でも、発電効率が低下したり、外観が低下したりすることも殆どないので好ましい。また、この清掃具１では、メラミン樹脂発泡体１１を用いて清掃することで、少量の水で拭き掃除可能なので、山間部に設置されている太陽電池パネルの拭き掃除に特に好適である。
【００３７】
この清掃具１を用いて被清掃面を清掃する際には、メラミン樹脂発泡体１１に少量の水を含ませるとともに、必要に応じて少量の水を被清掃面に散布してから、図１４に示すように、操作ロッド２１を手で保持して、清掃体１０を被清掃面としての太陽電池パネル３の上目に載置し、操作ロッド２１を操作して清掃体１０を被清掃面に沿って移動させ、メラミン樹脂発泡体１１で被清掃面を拭き掃除することになる。このように、操作ロッド２１の先端部にメラミン樹脂発泡体１１を備えた清掃体１０を配置させているので、太陽電池パネル３のような大きな被清掃面であっても、容易に且つ効率的に清掃することができる。また、メラミン樹脂発泡体１１に付着した汚れは、メラミン樹脂発泡体１１の表面だけでなく、メラミン樹脂発泡体１１の奥部側へ順次移動して、被清掃面に再付着することが防止されるので、少量の水であっても、比較的広い被清掃面を綺麗に清掃することができる。また、メラミン樹脂発泡体１１の汚れが被清掃面に対して再付着しだしたときには、ベース板２２から清掃体１０を取り外して、新しい清掃体１０を取り付けることで、容易に且つ効率的に被清掃面を清掃できる。また、清掃を繰り返すことで、メラミン樹脂発泡体１１がすり減った場合においても、前記と同様にして、清掃体１０を交換することができる。汚れが付着した清掃体１０は、水の入手が容易な場所へ輸送してから、洗浄して再利用することができる。
【００３８】
次に、清掃体１０の構成を部分的に変更した他の実施の形態について説明する。なお、前記実施の形態と同一部材には同一符号を付してその詳細な説明を省略する。
【００３９】
（１）図６に示す清掃体１０Ａのように、メラミン樹脂発泡体１１に代えて、下面の幅方向の途中部に左右方向に延びる溝部からなる区画部４０を、図４に仮想線で示すように、下面から上面側へ向けて形成したメラミン樹脂発泡体１１Ａを用いることもできる。この場合には、区画部４０の下端の角部により、汚れを掻き落とすことが可能となり、清掃体１０の清掃能力を向上できる。なお、区画部４０は、切り込みで構成することも可能である。また、区画部４０は、メラミン樹脂発泡体１１Ａの底面に対して任意の方向に形成することが可能で、図７に示す清掃体１０Ｂのように、左右方向の区画部４０と前後方向の区画部４１とを形成したメラミン樹脂発泡体１１Ｂを用いることもできる。更に、前後方向に対して斜めに角度を付けた区画部を相互に間隔をあけて略平行に複数本形成したりすることもできるし、該区画部に加えて該区画部に対して交差するように区画部を形成することもできる。区画部は、底面視直線的に形成することもできる波形状に形成することもできる。
【００４０】
（２）清掃体１０として、ベース板２２の平面寸法よりも小さい清掃体を複数個ベース板２２に取り付けることもできる。例えば、図８に示すように、清掃体１０の１／２の幅の２つの清掃体１０Ｃをベース板２２に着脱自在に取り付けることも可能である。また、キッチンなどで使用される汎用寸法の小型の清掃体１０Ｄを、所望の配列で配置させることもできる。例えば図９に示すように、４個の清掃体１０Ｄをベース板２２の下面に対して相互に間隔をあけて千鳥状に設けたり、図１０に示すように、６個の清掃体１０Ｄをベース板２２の下面に前後左右に相互に間隔をあけて設けたり、図１１に示すように、６個の清掃体１０Ｄをベース板２２の下面に前後にのみ間隔をあけて６個設けたり、図１２に示すように、６個の清掃体１０Ｄをベース板２２の下面に左右にのみ間隔をあけて６個設けたり、図１３に示すように、ベース板２２の下面の中央部に長手方向を左右方向にして２個の清掃体１０Ｄを並列状に設け、その両側に長手方向を前後方向にしてそれぞれ２個の清掃体１０Ｄを設けたりすることできる。
【００４１】
以上、本考案の実施形態について説明したが、本考案は前述した実施形態に何ら限定されるものではなく、本考案の要旨を逸脱しない範囲においてその構成を変更し得ることは勿論である。
【符号の説明】
【００４２】
１      清掃具
２      面ファスナ
３      太陽電池パネル
１０    清掃体
１１    メラミン樹脂発泡体
１２    緩衝スポンジ
１３    第１ファスナ
２０    操作部
２１    操作ロッド
２２    ベース板
２３    連結部
２４    第２ファスナ
２５    ロッド部材
２５ａ  係止孔
２６    グリップ部
３０    軸受部材
３０ａ  軸孔
３１    連結部材
３１ａ  軸部
３１ｂ  連結板部
３２    ロッド側部材
３２ａ  フランジ部
３２ｂ  係止孔
３３    軸部材
３４    係止部材
３４ａ  係止部
３５    固定具
１０Ａ  清掃体
１１Ａ  メラミン樹脂発泡体
１０Ｂ  清掃体
１１Ｂ  メラミン樹脂発泡体
１０Ｃ  清掃体
１０Ｄ  清掃体
４０    区画部
４１    区画部
【図１】
0003211682.tif 000003
【図２】
0003211682.tif 000004
【図３】
0003211682.tif 000005
【図４】
0003211682.tif 000006
【図５】
0003211682.tif 000007
【図６】
0003211682.tif 000008
【図７】
0003211682.tif 000009
【図８】
0003211682.tif 000010
【図９】
0003211682.tif 000011
【図１０】
0003211682.tif 000012
【図１１】
0003211682.tif 000013
【図１２】
0003211682.tif 000014
【図１３】
0003211682.tif 000015
【図１４】
0003211682.tif 000016